(57)【特許請求の範囲】
【請求項１】
金属シェル構造のゴルフクラブヘッドであって、
ヒールからトウにかけてなだらかな下方突出円弧状に形成されたソール面と、
前記ソール面における前記ヒールと前記トウとの中間領域に、フェイス面から後方に向かって伸びた、所定幅を有する略矩形状の下向き膨出部と、
前記膨出部の幅方向中央部において前記フェイス面から後方に所定距離離れた位置から後方に向かって略一定幅で平行状に延び、バックフェイス面にて開放されたリセスとを有し、
前記膨出部に前記リセスが形成されることにより、前記リセスの両サイドに平行な一対の膨出レール部が形成されていることを特徴とするゴルフクラブヘッド。
【請求項２】
前記各膨出レール部は、その幅方向中央部に、真っ直ぐな誘導溝が形成されている、クレーム１に記載のゴルフクラブヘッド。
【請求項３】
前記膨出部は、前記ヒールから前記トウまでの長さの約１／２〜約１／４の領域に形成されている、クレーム１に記載のゴルフクラブヘッド。
【請求項４】
前記リセスは、前記フェイス側の先端部が半円弧状に形成されている、クレーム１に記載のゴルフクラブヘッド。
【請求項５】
前記リセスは、略一定幅の平行な前方平行部と、該前方平行部に連接され後方に向けて幅が漸次的に大きくなりバックフェイス面にて開放された後方開き部とを有する、クレーム１に記載のゴルフクラブヘッド。
【請求項６】
前記リセスは、前記前方平行部の前後方向長さが１０〜４０ｍｍの範囲、同平行部の幅が８〜２０ｍｍの範囲、深さが３ｍｍ〜ヘッド高さの１／２の範囲においてそれぞれ設定されている、クレーム１に記載のゴルフクラブヘッド。
【請求項７】
前記リセスの前記前方平行部は、その前後方向長さが２０〜３５ｍｍの範囲において設定されている、クレーム６に記載のゴルフクラブヘッド。
【請求項８】
前記リセスの前記前方平行部は、その幅が１０〜１５ｍｍの範囲において設定されている、クレーム６に記載のゴルフクラブヘッド。
【請求項９】
前記リセスは、その深さが５〜１５ｍｍの範囲において設定されている、クレーム６に記載のゴルフクラブヘッド。
【請求項１０】
前記誘導溝は、幅が１．５ｍｍ〜３．０ｍｍの範囲、深さが０．５ｍｍ〜２．０ｍｍの範囲にそれぞれ設定されている、クレーム２に記載のゴルフクラブヘッド。
【請求項１１】
金属シェル構造のゴルフクラブヘッドであって、
ヒールからトウにかけてなだらかな下方突出円弧状に形成されたソール面と、
前記ソール面における前記ヒールと前記トウとの中間領域に形成され、フェイス面から後方に向かって伸びた、所定幅を有する略矩形状の下向き膨出部と、
前記膨出部の幅方向中央部において前記フェイス面から後方に所定距離離れた位置から後方に向かって略一定幅で平行状に延び、バックフェイス面にて開放されたリセスとを有し、
前記膨出部に前記リセスが形成されることにより、前記リセスの両サイドに平行な一対の膨出レール部が形成され、
前記各膨出レール部の幅方向中央部に、誘導溝が前後方向に形成され、
前記膨出部は、前記ヒールから前記トウまでの長さの約１／２〜約１／４の領域に形成され、
前記リセスは、略一定幅の平行な前方平行部と、該前方平行部に連接され後方に向けて幅が漸次的に大きくなりバックフェイス面にて開放された後方開き部とを有し、
前記リセスは、前記前方平行部の前後方向長さが１０〜４０ｍｍの範囲、同平行部の幅が８〜２０ｍｍの範囲、深さが３ｍｍ〜ヘッド高さの１／２の範囲においてそれぞれ設定され、
前記誘導溝は、幅が１．５〜３．０ｍｍの範囲、深さが０．５〜２．０ｍｍの範囲にそれぞれ設定されていることを特徴とするゴルフクラブヘッド。
【請求項１２】
ゴルフクラブヘッドを備えたゴルフクラブであって、
前記ゴルフクラブヘッドは、
ヒールからトウにかけてなだらかな下方突出円弧状に形成されたソール面と、
前記ソール面における前記ヒールと前記トウとの中間領域に、フェイス面から後方に向かって伸びた、所定幅を有する略矩形状の下向き膨出部と、
前記膨出部の幅方向中央部において前記フェイス面から後方に所定距離離れた位置から後方に向かって略一定幅で平行状に延び、バックフェイス面にて開放されたリセスとを有し、
前記膨出部に前記リセスが形成されることにより、前記リセスの両サイドに平行な一対の膨出レール部が形成されていることを特徴とするゴルフクラブ。
【発明の詳細な説明】
【０００１】
【発明の属する技術分野】
この発明は、金属シェル構造のゴルフクラブヘッドおよび同ゴルフクラブヘッドを備えたゴルフクラブに関する。
【０００２】
【従来の技術】
常にスィートスポットでヒットさせることができて方向性が良くスライスやフックのない真っ直ぐな飛びを実現でき、しかも、飛距離を伸ばすことができるいわゆるウッド型のゴルフクラブヘッドの提供が望まれている。
【０００３】
この要望に応えるべく、本願出願人は、日本国特許第２８３１５８５号において金属シェル構造のゴルフクラブヘッドを提案した。このゴルフクラブヘッドは、ソール面の幅方向中央部に、フェイス面から離間した位置から後方に延びてバックフェイス面に開放された前後方向に延びるリセスを有する。
【０００４】
【発明が解決しようとする課題】
本発明は上記提案に係るゴルフクラブヘッドの改良に係るものである。
【０００５】
本発明の目的は、スイートスポットを広く確保することができかつ重心を低く抑えることにより打球の直進性および飛距離の増大を図ることが可能なゴルフクラブヘッドおよび同ヘッドを備えたゴルフクラブを提供することにある。
【０００６】
この発明の他の目的は、スイング過程でヘッドのソール面が接地した場合においても、接地抵抗をより一層低減させ、かつヘッドを打球方向に真っ直ぐに誘導することができる、ゴルフクラブヘッドおよび同ヘッドを備えたゴルフクラブを提供することにある。
【０００７】
【課題を解決するための手段】
この発明の第１の側面によると、金属シェル構造のゴルフクラブヘッドであって、
ヒールからトウにかけてなだらかな下方突出円弧状に形成されたソール面と、
前記ソール面における前記ヒールと前記トウとの中間領域に、フェイス面から後方に向かって伸びた、所定幅を有する略矩形状の下向き膨出部と、
前記膨出部の幅方向中央部において前記フェイス面から後方に所定距離離れた位置から後方に向かって略一定幅で平行状に延び、バックフェイス面にて開放されたリセスとを有し、前記膨出部に前記リセスが形成されることにより、前記リセスの両サイドに平行な一対の膨出レール部が形成されている。
【０００８】
この発明によれば、リセスを挟む両側のシェル壁の重量によって重心深度が大きくなり、スイートスポットがワイド化される。従って、スイートスポットでのヒット確率が向上し方向性が良く真っ直ぐな弾道を実現することができる。また、ソール面に形成された下向き膨出部により低重心となしえ、高弾道を実現しえ飛距離を増大することができる。更に、リセスの両サイドに形成された平行な一対の膨出レール部の存在により、スイング過程でヘッドのソール面が接地した場合においても接地抵抗をより一層低減させ、かつヘッドを打球方向に真っ直ぐに誘導することができる。
【０００９】
前記各膨出レール部の幅方向中央部に真っ直ぐな誘導溝が形成されている場合においては、この真っ直ぐな誘導溝によって、上述した打球方向への直進性が更に増強され、より一層安定したスイングを実現することができる。
【００１０】
前記膨出部は、前記ヒールから前記トウまでの長さの約１／２〜約１／４の領域に形成されていることが望ましい。
【００１１】
前記リセスは、前記フェイス側の先端部が半円弧状に形成されていることが望ましい。
【００１２】
前記リセスは、略一定幅の平行な前方平行部と、該前方平行部に連接され後方に向けて幅が漸次的に大きくなりバックフェイス面にて開放された後方開き部とを有することが望ましい。
【００１３】
前記リセスは、前記前方平行部の前後方向長さが１０〜４０ｍｍの範囲、特に２０〜３５ｍｍの範囲に、同平行部の幅が８〜２０ｍｍの範囲、特に１０〜１５ｍｍの範囲、深さが３ｍｍ〜ヘッド高さの１／２の範囲、特に５〜１５ｍｍの範囲に、それぞれ設定されていることが望ましい。
【００１４】
この発明の他の側面によると、ゴルフクラブヘッドを備えたゴルフクラブであって、
前記ゴルフクラブヘッドは、
ヒールからトウにかけてなだらかな下方突出円弧状に形成されたソール面と、
前記ソール面における前記ヒールと前記トウとの中間領域に、フェイス面から後方に向かって伸びた、所定幅を有する略矩形状の下向き膨出部と、
前記膨出部の幅方向中央部において前記フェイス面から後方に所定距離離れた位置から後方に向かって略一定幅で平行状に延び、バックフェイス面にて開放されたリセスとを有し、
前記膨出部に前記リセスが形成されることにより、前記リセスの両サイドに平行な一対の膨出レール部が形成されている。
【００１５】
この発明の他の目的と特徴は、添付図面を参照した以下の説明によってさらに明らかになるであろう。
【００１６】
【発明の実施の形態】
この発明の好ましい実施例を、図面に基づいて説明する。
【００１７】
図１ないし図７に示されるウッド型ゴルフクラブヘッド（１）は、いわゆるメタルウッドと称されるタイプのものである。参照符合（２）は金属製のヘッドシェル、（３）は充填材である。ヘッドシェル（２）は、例えば、ステンレス、アルミニウム、チタン、マグネシウム等の金属によるモールド品である。また、充填材（３）は、シェル（２）よりも比重の小さい素材、例えば、硬質ウレタンフォームのような発泡樹脂材料等によるもので、常法により上記シェル（２）内に充填配置されている。
【００１８】
特に図６に明確に示されるように、上記ゴルフクラブヘッド（１）のソール面（４）は、ヒール（５）からトウ（６）にかけてなだらかな下方突出円弧状に形成されている。そして図２に示されるように、前記ソール面（４）における幅方向の中間領域、すなわち前記ヒール（５）と前記トウ（６）との間の中間領域には、フェイス面（７）から後方、すなわちバックフェイス面（８）に向かって、所定幅を有する略矩形状の下向き膨出部（９）が形成されている。
【００１９】
この下向き膨出部（９）の存在により、ヘッド（１）が低重心構造となり、ひいては高弾道が実現されて飛距離を伸ばすことが可能になる。そればかりか、スイング時にソール面（４）が接地した場合でも、前述したソール面（４）の形状と相俟って下向き膨出部（９）の存在によって接地面積の減少を図ることができる。従って、ミスショットによる接地あるいはインテンショナルな接地のいずれの場合であっても、ヘッドの振り抜き性を良好なものとすることができる。この膨出部（９）は、前記ヒール（５）から前記トウ（６）までの長さの約１／２〜約１／４の領域に形成される。上限値よりも大きすぎても逆に下限値より小さすぎても、後述する作用効果を十分に奏することができないからである。
【００２０】
ところで、フェイス（７）から重心までの距離である重心深度を大きくすると、それに応じてスィートスポットがワイド化される。この性質を利用すべく、この実施例に係るクラブヘッドでは、ソール面（４）の幅方向中央部に、フェイス構成シェル壁（７）の背面から後方に離間した位置から後方に延びてバックフェイス面（８）に開放された前後方向に延びるリセス（１０）が設けられている。
【００２１】
即ち、前記下向き膨出部（９）の幅方向中央部において前記フェイス面（７）から後方に所定距離離れた位置から後方に向かって略一定幅で平行状に延び、前記バックフェイス面（８）にて開放されたリセス（１０）が形成されている。このリセス（１０）は、図４に明確に示されているように、フェイス（７）を構成するシェル壁の背面から後方に離間した位置から後方に延ばされ、バックフェイス面（８）に開放されている。そして、その前部側が一定幅ないしは略一定幅の平行部（１１）とされ、後部側が該平行部（１１）に連設され後方に向けて幅を漸次大きくしてバックフェイス面（８）に開放された後方開き部（１２）とされている。前記平行部（１１）は、そのフェイス側の先端部が半円弧状に形成されると共に、図７に示されるように底面が横断面円弧状に形成されている。
【００２２】
而して、前記下向き膨出部（９）に前記リセス（１０）が形成されることにより、そのリセス（１０）の両サイドに平行な一対の膨出レール（９ａ）（９ａ）が形成されている。
【００２３】
金属シェル構造のメタルウッドヘッド（１）において上記のように下向き膨出部（９）にリセス（１０）が形成されることにより、図７に示されるように、該リセス（１０）を挾む両側に立ち上がり状の金属製シェル壁（１３）（１３）が形成される。これら両側シェル壁（１３）（１３）の重量にて、ヘッド（１）の重心深度が深くされ、かつ、低重心の構造が実現されている。
【００２４】
上記ヘッド（１）では、ソール部（４）の幅方向中央部に、フェイス構成シェル壁（７）の背面から後方に離間した位置から後方に延びてバックフェイス面（７）に開放された前後方向に延びるリセス（１０）が設けられたものとなされているから、上記したように、図７に示されるように、該リセス（１０）を挾む両側のシェル壁（１３）（１３）の重量によってヘッド（１）の重心深度が深くされ、スィートスポットがワイド化される。これによって、スィートスポットでのヒット確率が高められて、方向性が良くスライスやフックのない真っ直ぐな飛びを実現しうる。
【００２５】
しかも、該リセス（１０）を挾む両側のシェル壁（１３）（１３）の存在および前記下向き膨出部（９）の存在とが相俟って、ヘッド（１）の重心がより低くなり、より一層の高弾道が実現されて飛距離を延ばすことができる。
【００２６】
特に、リセス（１０）は、その後部側に後方に向けて幅を漸次大きくした後方開き部（１２）を有することにより、このような開き部（１２）を挾む両側のシェル壁（１３）（１３）の重量によって、より一層効果的に重心深度を深くし、かつ重心を低くすることができる。
【００２７】
また特に、リセス（１０）は、そのフェイス面（７）側である前部側において平行部（１１）に形成されているから、この平行部（１１）を挾む両側のシェル壁（１３ ）（１３ ）が前後方向に向いている。そのため、これら両側部のシェル壁（１３ ）（１３ ）が、打球インパクトの瞬間にボールに集中的かつ爆発的にエネルギーを伝えて、いわゆるハンマー効果が奏され、更なる飛距離増大を実現しうる。しかも、平行部（１１）を挾む両側壁（１３ ）（１３ ）は互いに間隔をおくようになされ、しかも、フェイス構成シェル壁（７）の背面から離間した位置に存在されているものであるから、球筋が不安定となることもない。
【００２８】
更に、ソール面（４）がヒール（５）からトウ（６）にかけてなだらかな下向き突出円弧状に形成されると共に、ソール面（４）に下向き膨出部（９）が形成され、かつ該下向き膨出部（９）にバックフェイス面（８）に開放されたリセス（１０）が設けられて該膨出部（９）が平行な一対の膨出レール部（９ａ）（９ａ）を有するものとなされている。従って、スイング時にソール面（４）が接地した場合でも、ソール面（４）の下向き突出円弧状の形状、下向き膨出部（９）の存在およびリセス（１０）の存在による、ヘッド接地面積の減少、リセスの後方開放による振抜き時の低抵抗によって、振抜き性が良好なものとなっている。しかも、このリセス（１０）は平行部（１１）を有していることにより、スイング過程でソール面（４）が接地した場合、このリセス平行部（１１）がヘッド（１）を真っ直ぐに誘導するように作用する。従って、このようにスイング過程でソール面（４）が接地した場合であっても、ボールを方向性良く飛ばしかつ飛距離大きくかせぐことができる。この作用は、前記下向き膨出部（９）の平行な一対の膨出レール部（９ａ）（９ａ）によって、益々助長され、打球方向の直進性およびショットの安定性をより一層増大させる。
【００２９】
また、該リセス（１０）は、後部側が平行部（１１）に連なって幅を漸次大きくされた後方開き部（１２）に形成されているから、インテンショナルな振抜きがスムーズに行え、高度なゴルフテクニックを用いた絶妙のショットをスムーズに実現することができる。
【００３０】
前記下向き膨出部（９）は、ソール面（４）からの突出高さｈ（図７参照）が１〜５ｍｍの範囲に設定されていることが望ましい。即ち、突出高さｈが１ｍｍを下回るとスウィング時にヘッドが接地した場合における接地抵抗の低減効果があまり期待できなくなり、逆に５ｍｍを超えると重心位置が上昇し低重心による高弾道効果が低下する傾向が現れやすくなり、また、スタンス時の接地安定性が悪くなる傾向が現れ、更にロフトの変化、セッティングの不安定性を招き易くなる。このような理由から、下向き膨出部（９）のソール面（４）からの突出高さｈは、特に、１．５〜４ｍｍの範囲において設定されるのがよい。
【００３１】
前記リセス（１０）は、前記前方平行部（１１）の前後方向長さＬ（図４参照）が１０〜４０ｍｍの範囲、同平行部（１１）の幅Ｗ（図４参照）が８〜２０ｍｍの範囲、深さＤ（図７参照）が３ｍｍ〜ヘッド高さＨの１／２の範囲にそれぞれ設定されていることが望ましい。
【００３２】
即ち、前記リセス（１０）の平行部（１１）の長さＬが１０ｍｍを下回って小さくなると、ハンマー効果がにぶくなる傾向を生じる。また、平行部（１１）の長さＬが４０ｍｍを上回って大きくなると、その分、開き部が前後方向に狭くなってしまい、インテンショナルな振抜きがむずかしくなる傾向を生じる。このような理由から、リセス平行部の長さＬは、特に２０〜３５ｍｍの範囲において設定されるのがよい。
【００３３】
前記平行部（１１）の幅Ｗが８ｍｍを下回って小さくなると、平行部内に物が詰まる等の不都合を生じる可能性が高くなったり、またハンマー効果による打球の際の球筋の不安定性が増す傾向が現れ易くなる。また、平行部の幅Ｗが２０ｍｍを上回って大きくなると、その分、平行部の底面のシェル壁が大きくなり、それによって重心位置が上昇し低重心による高弾道効果が低下する傾向が現れやすくなり、また、スタンス時の接地安定性が悪くなる傾向が現れ、更にロフトの変化、セッティングの不安定性を招き易くなる。このような理由から、リセス平行部（１１）の幅Ｗは、特に、１０〜１５ｍｍの範囲において設定されるのがよい。
【００３４】
また、前記平行部（１１）の深さＤが３ｍｍを下回って小さくなると、前記リセス（１０）を挾む両側壁（１３）（１３）の重量増加効果が不十分となり、重心深度の増大によるスイートスポットのワイド化、及び低重心効果が現れにくくなる傾向を生じる。また、リセス（１０）の深さＤがヘッド高さＨの１／２を上回って大きくなると、これもまた低重心効果が現れにくくなる傾向を生じる。このような理由から、リセス（１０）の平行部（１１）の深さＤは、特に５〜１５ｍｍの範囲において設定されるのがよい。
【００３５】
更に、前記各膨出レール部（９ａ）（９ａ）には、前述したリセス（１０）の作用効果および平行な一対の膨出レール部（９ａ）の作用効果をより一層助長すべく、その幅方向中央部に誘導溝（１５）が膨出レール部（９ａ）の略全長に亘って前後方向に沿って真っ直ぐに形成されている。この誘導溝（１５）の作用効果を発揮させるためには、その幅が１．５〜３．０ｍｍの範囲、その深さは０．５〜２．０ｍｍの範囲に設定することが望ましい。この誘導溝（１５）によって、ヘッド（１）の低重心化、接地抵抗の減少、振り抜き時のヘッドの打球方向への直進誘導性が益々助長される。なお、この誘導溝（１５）は、振り抜き性の向上を図るために、前記リセス（１０）と同様、その後端部がバックフェイス面（８）に開放された後方開き部となされたものであっても良い。
【００３６】
この本実施例では、最適なヘッド構造を実現すべく、下向き膨出部（９）のソール面（４）からの突出高さｈが２．５ｍｍ、リセス（１０）は、その深さＤが約７ｍｍ、平行部（１１）の幅Ｗが約１３ｍｍ、同平行部（１１）の長さＬが約３０ｍｍ、誘導溝（１５）は、幅２．０ｍｍ、深さ１．５ｍｍに設計されている。
【００３７】
図８は、上記ゴルフクラブヘッド（１）を備えたゴルフクラブである。参照符合（２０）はシャフト、（２１）はグリップである。
【００３８】
ここに用いられた用語及び説明は、この発明に係る実施形態の１つを説明するために用いられたものであって、この発明はこれに限定されるものではない。この発明はクレームされた範囲内であれば、その精神を逸脱するものでない限りいかなる設計的変更をも許容するものである。
【００３９】
【発明の効果】
この発明によれば、リセスを挟む両側のシェル壁の重量によって重心深度が大きくなり、スイートスポットがワイド化される。従って、スイートスポットでのヒット確率が向上し方向性が良く真っ直ぐな弾道を実現することができる。また、ソール面に形成された下向き膨出部により低重心となしえ、高弾道を実現しえ飛距離を増大することができる。更に、リセスの両サイドに形成された平行な一対の膨出レール部の存在により、スイング過程でヘッドのソール面が接地した場合においても接地抵抗をより一層低減させ、かつヘッドを打球方向に真っ直ぐに誘導することができる。
【００４０】
前記各膨出レール部の幅方向中央部に真っ直ぐな誘導溝が形成されている場合においては、この真っ直ぐな誘導溝によって、上述した打球方向への直進性が更に増強され、より一層安定したスイングを実現することができる。
【図面の簡単な説明】
【図１】この発明の実施形態であるゴルフクラブヘッドの斜視図である。
【図２】上記ゴルフクラブヘッドを前方斜め下から見た斜視図である。
【図３】上記ゴルフクラブヘッドを後ろ下方から見た斜視図である。
【図４】上記ゴルフクラブヘッドの底面図である。
【図５】上記ゴルフクラブヘッドのヒール側からみた側面図である。
【図６】上記ゴルフクラブヘッドの正面図である。
【図７】図４の７−７線断面図である。
【図８】上記ゴルフクラブヘッドを備えたゴルフクラブである。
【符号の説明】
１ … ゴルフクラブヘッド
２ … ヘッドシエル
３ … 充填材
４ … ソール面
５ … ヒール
６ … トゥ
７ … フェイス面
８ … バックフェイス面
９ … 膨出部
１０ … リセス
１１ … 平行部
１２ … 後方開き部
１３ … シエル壁
【図１】
0003936887.tif 000002
【図２】
0003936887.tif 000003
【図３】
0003936887.tif 000004
【図４】
0003936887.tif 000005
【図５】
0003936887.tif 000006
【図６】
0003936887.tif 000007
【図７】
0003936887.tif 000008
【図８】
0003936887.tif 000009